(57)【特許請求の範囲】
【請求項１】
チューブ状に形成された袋体の端部を該袋体に挿通配置された芯材に固定することでグラウト材が注入される内部空間が前記袋体に形成されるようになっている袋体固定具において、
前記芯材が挿通される芯材挿通孔が形成された第１の狭着部材と、該第１の狭着部材よりも前記袋体に近い側に配置され前記芯材が挿通される芯材挿通孔が形成された第２の狭着部材と、前記第１の狭着部材及び前記第２の狭着部材の間に配置された状態で前記芯材が挿通され前記袋体の端部周縁が内側に挿通される環状部材と、前記第１の狭着部材及び前記第２の狭着部材をそれらの芯材挿通孔に前記芯材が挿通された状態でかつ該芯材の材軸に沿って互いに引寄せ自在な引寄せ機構とを備え、前記第１の狭着部材及び前記第２の狭着部材のうち、いずれか一方の狭着部材を前記芯材に固着可能に構成するとともに前記引寄せ機構を前記一方の狭着部材から反力をとる形で該一方の狭着部材に他方の狭着部材を引き寄せることができるように構成し、前記第１の狭着部材、前記第２の狭着部材及び前記環状部材を、前記第１の狭着部材と前記環状部材の一端及び該環状部材の他端と前記第２の狭着部材が前記袋体の端部周縁を介してそれぞれ互いに当接されるように構成したことを特徴とする袋体固定具。
【請求項２】
前記引寄せ機構を、前記第１の狭着部材及び前記第２の狭着部材のいずれか一方から延びる雄ネジと、該雄ネジに螺合され前記第１の狭着部材及び前記第２の狭着部材の他方に配置又は形成される雌ネジとで構成した請求項１記載の袋体固定具。
【請求項３】
前記雄ネジをボルトで構成して該ボルトが挿通されるボルト挿通孔を前記第１の狭着部材及び前記第２の狭着部材のいずれか一方に形成するとともに、前記ボルトがねじ込まれる雌ネジ孔を前記雌ネジとして他方に形成した請求項２記載の袋体固定具。
【請求項４】
前記芯材挿通孔に連通する接着剤充填孔を前記第１の狭着部材又は前記第２の狭着部材に設けた請求項１乃至請求項３のいずれか一記載の袋体固定具。
【請求項５】
前記芯材挿通孔の内周面のうち、開口近傍に楔当接面を形成するとともに、該楔当接面に当接される楔部材を備えた請求項１乃至請求項３のいずれか一記載の袋体固定具。
【請求項６】
前記環状部材が前記袋体の端部周縁を介して前記第１の狭着部材及び前記第２の狭着部材で挟み込まれた状態において、該第１の狭着部材及び第２の狭着部材の間であって前記袋体の端部周縁の内側にパテ充填空間が形成されるように、前記第１の狭着部材、前記第２の狭着部材及び前記環状部材を構成した請求項１乃至請求項５のいずれか一記載の袋体固定具。
【請求項７】
前記袋体の端部周縁における折返し部を前記環状部材の外周面に当接された状態で該環状部材に巻き付けることができるように構成された拘束バンドを備えた請求項１乃至請求項５のいずれか一記載の袋体固定具。
【請求項８】
グラウト注入パイプが挿通されるパイプ挿通孔を前記芯材挿通孔と平行になるように前記第１の狭着部材及び前記第２の狭着部材にそれぞれ設けた請求項１乃至請求項７記載のいずれか一記載の袋体固定具。
【請求項９】
請求項１乃至請求項８のいずれか一記載の袋体固定具が固定対象とする前記芯材をＰＣ鋼より線とした地山補強材。
【請求項１０】
前記ＰＣ鋼より線のうち、前記第１の狭着部材から延びる先端露出部分を芯材被覆用キャップで被覆した請求項９記載の地山補強材。
【発明の詳細な説明】
【技術分野】
【０００１】
本発明は、地山補強用の袋体を芯材に固定する際に用いられる袋体固定具及びそれを用いた地山補強材に関する。
【背景技術】
【０００２】
グランドアンカー工法は、法面に配置された法枠等の法面構造体と該法面の背後に拡がる地山に定着されたアンカーとを引張材を介して相互連結するとともに該引張材に緊張力を導入するものであって、引張材に導入された緊張力が法面構造体を介して法面に作用して地山のせん断抵抗が大きくなり、その崩壊を未然に防止することが可能となる。
【０００３】
これに対し、ネイリング工法は、芯材である鉄筋を地山に差し込んでその周囲と地山との間にグラウト材を充填するものであって、鉄筋をその全長にわたって地山に定着することで、地山が動き出そうとするときの変形が鉄筋のせん断、曲げあるいは引張剛性で拘束されるものであり、グランドアンカー工法と同様、法面の崩落を防止しその安定化を図ることができる。
【０００４】
一方、芯材とそれを取り囲むように配置された袋体とを、地山に先行形成された補強材挿入孔に挿入し、しかる後、袋体の周面が補強材挿入孔の内面に当接するように該袋体にグラウト材を加圧注入する工法が知られている（特許文献１）。
【０００５】
かかる工法においては、袋体は、グラウト注入による膨張に伴い、補強材挿入孔を押し拡げるように周面が削孔内面に当接するので、グラウト材が固化した後は、周辺地山と強固に一体化する。
【０００６】
すなわち、同工法は、芯材全長にわたる地山への定着力に、袋体の押し拡げ作用による定着力が加わった形で地山の変形を拘束するものであって、ハイスペックネイリング（登録商標）の名称でもわかる通り、従前のネイリング工法よりも定着力が格段に優れたあらたな工法として大いに期待されている。
【先行技術文献】
【特許文献】
【０００７】
【特許文献１】特開２００６−１８８８４５号公報
【特許文献２】特開２００９−１９１５８２号公報
【発明の概要】
【発明が解決しようとする課題】
【０００８】
上述した袋体を芯材に取り付けるにあたっては、チューブ状に形成された袋体に芯材を挿通した上、該袋体の両端を絞って芯材に固定するが、加圧注入されたグラウト材が袋体の両端と芯材との間から漏出すると、袋体を膨張させることができず、結果として補強材挿入孔を押し拡げることができなくなる。
【０００９】
そのため、従来においては、鋼製の拘束バンドや番線で袋体の端部周縁近傍を芯材にしっかりと縛り付けることで、両者の水密性を確保していた（特許文献２）。
【００１０】
しかしながら、袋体の押し拡げ作用による地山への定着力を高めるべく、袋体内のグラウト圧を大きくすると、袋体の内圧上昇に伴って、袋体の端部周縁近傍を縛っていた拘束バンドや番線が緩み、結束箇所が芯材の材軸方向にずれたり、袋体が損傷したりするおそれがあるという問題を生じていた。
【００１１】
かかる問題は、緩みが生じた箇所や損傷箇所からグラウト材が漏出し、注入圧が低下して袋体を予定通りに膨張させることができないという事態を招く。
【課題を解決するための手段】
【００１２】
本発明は、上述した事情を考慮してなされたもので、袋体の内圧が大きくなっても袋体端部からのグラウト材の漏出を防止可能な袋体固定具及びそれを用いた地山補強材を提供することを目的とする。
【００１３】
上記目的を達成するため、本発明に係る袋体固定具は請求項１に記載したように、チューブ状に形成された袋体の端部を該袋体に挿通配置された芯材に固定することでグラウト材が注入される内部空間が前記袋体に形成されるようになっている袋体固定具において、
前記芯材が挿通される芯材挿通孔が形成された第１の狭着部材と、該第１の狭着部材よりも前記袋体に近い側に配置され前記芯材が挿通される芯材挿通孔が形成された第２の狭着部材と、前記第１の狭着部材及び前記第２の狭着部材の間に配置された状態で前記芯材が挿通され前記袋体の端部周縁が内側に挿通される環状部材と、前記第１の狭着部材及び前記第２の狭着部材をそれらの芯材挿通孔に前記芯材が挿通された状態でかつ該芯材の材軸に沿って互いに引寄せ自在な引寄せ機構とを備え、前記第１の狭着部材及び前記第２の狭着部材のうち、いずれか一方の狭着部材を前記芯材に固着可能に構成するとともに前記引寄せ機構を前記一方の狭着部材から反力をとる形で該一方の狭着部材に他方の狭着部材を引き寄せることができるように構成し、前記第１の狭着部材、前記第２の狭着部材及び前記環状部材を、前記第１の狭着部材と前記環状部材の一端及び該環状部材の他端と前記第２の狭着部材が前記袋体の端部周縁を介してそれぞれ互いに当接されるように構成したものである。
【００１４】
また、本発明に係る袋体固定具は、前記引寄せ機構を、前記第１の狭着部材及び前記第２の狭着部材のいずれか一方から延びる雄ネジと、該雄ネジに螺合され前記第１の狭着部材及び前記第２の狭着部材の他方に配置又は形成される雌ネジとで構成したものである。
【００１５】
また、本発明に係る袋体固定具は、前記雄ネジをボルトで構成して該ボルトが挿通されるボルト挿通孔を前記第１の狭着部材及び前記第２の狭着部材のいずれか一方に形成するとともに、前記ボルトがねじ込まれる雌ネジ孔を前記雌ネジとして他方に形成したものである。
【００１６】
また、本発明に係る袋体固定具は、前記芯材挿通孔に連通する接着剤充填孔を前記第１の狭着部材又は前記第２の狭着部材に設けたものである。
【００１７】
また、本発明に係る袋体固定具は、前記芯材挿通孔の内周面のうち、開口近傍に楔当接面を形成するとともに、該楔当接面に当接される楔部材を備えたものである。
【００１８】
また、本発明に係る袋体固定具は、前記環状部材が前記袋体の端部周縁を介して前記第１の狭着部材及び前記第２の狭着部材で挟み込まれた状態において、該第１の狭着部材及び第２の狭着部材の間であって前記袋体の端部周縁の内側にパテ充填空間が形成されるように、前記第１の狭着部材、前記第２の狭着部材及び前記環状部材を構成したものである。
【００１９】
また、本発明に係る袋体固定具は、前記袋体の端部周縁における折返し部を前記環状部材の外周面に当接された状態で該環状部材に巻き付けることができるように構成された拘束バンドを備えたものである。
【００２０】
また、本発明に係る袋体固定具は、グラウト注入パイプが挿通されるパイプ挿通孔を前記芯材挿通孔と平行になるように前記第１の狭着部材及び前記第２の狭着部材にそれぞれ設けたものである。
【００２１】
また、本発明に係る地山補強材は請求項９に記載したように、請求項１乃至請求項８のいずれか一記載の袋体固定具が固定対象とする前記芯材をＰＣ鋼より線としたものである。
【００２２】
また、本発明に係る地山補強材は、前記ＰＣ鋼より線のうち、前記第１の狭着部材から延びる先端露出部分を芯材被覆用キャップで被覆したものである。
【００２３】
本発明に係る袋体固定具を用いて袋体の端部を芯材に固定するには、第１の狭着部材及び第２の狭着部材のうち、いずれか一方、例えば第２の狭着部材を芯材に挿通し、適当な箇所に位置決めした後、該第２の狭着部材を芯材に固着する。
【００２４】
このとき、他方の部材、上述の例では第１の狭着部材や、該第１の狭着部材と第２の狭着部材との間に配置される環状部材については、第２の狭着部材とともに予め芯材に挿通しておいてもよいし、後工程との関係で問題がなければ、第２の狭着部材を芯材に固着した後で芯材に挿通するようにしてもよい。また、袋体の両端を本発明に係る袋体固定具でそれぞれ芯材に固定する場合には、一組目の第１の狭着部材、第２の狭着部材及び環状部材と二組目の第１の狭着部材、第２の狭着部材及び環状部材をまとめて芯材に挿通するようにしてもよいし、芯材への挿通に支障がないのであれば、以下に述べる一組目の固定作業が終わってから、二組目の第１の狭着部材、第２の狭着部材及び環状部材を芯材に挿通するようにしてもよい。
【００２５】
次に、袋体の端部周縁を環状部材の内側に挿通する。かかる作業中は、必要に応じて第１の狭着部材及び第２の狭着部材のうちの他方を一方からあるいは環状部材から適宜退避させておくことができる。
【００２６】
次に、第１の狭着部材、第２の狭着部材及びそれらの間に配置された環状部材に芯材が挿通された状態で、引寄せ機構を用いて第１の狭着部材及び第２の狭着部材を互いに引き寄せる。
【００２７】
このようにすると、第１の狭着部材及び第２の狭着部材の一方、上述の例では第２の狭着部材が芯材に固着されており、他方の部材である第１の狭着部材については芯材に固着されていないため、かかる例で言えば、第１の狭着部材が第２の狭着部材を反力体として該第２の狭着部材の側に引き寄せられ、第１の狭着部材と環状部材の一端、及び環状部材の他端と第２の狭着部材は、袋体の端部周縁を介してそれぞれ互いに当接する。
【００２８】
このようにして組み立てられた地山補強材は、地山に形成された補強材挿入孔に挿入された後、袋体の周面が補強材挿入孔に当接されるように該袋体の内部空間にグラウト材が注入されるとともに、そのときのグラウト材の内圧によって袋体が膨張するが、本発明に係る袋体固定具及びそれを用いた地山補強材においては、袋体の端部周縁は、第２の狭着部材の側から環状部材の内側を経て第１の狭着部材の側に延びており、あるいは折り返された状態で第１の狭着部材の側から環状部材の内側を経て第２の狭着部材の側に延びているとともに、第１の狭着部材及び第２の狭着部材は、引寄せ機構を介して互いに引き寄せてある。
【００２９】
そのため、袋体の端部周縁は、第１の狭着部材と環状部材の一端、及び環状部材の他端と第２の狭着部材の間にそれぞれ狭着されることとなり、かくして袋体の端部は、これら第１の狭着部材、第２の狭着部材及び環状部材を介して芯材にしっかりと固定される。
【００３０】
また、環状部材が第２の狭着部材及び第１の狭着部材にそれぞれ押し付けられた状態となるため、袋体の内圧がゼロ又は小さい場合であっても、袋体の端部と芯材との固定が緩むおそれがなくなり、かくしてグラウト注入開始直後におけるグラウト材の漏出が未然に防止される。
【００３１】
また、袋体の端部周縁が第２の狭着部材の側から環状部材の内側を経て第１の狭着部材の側に延びる配置とした場合においては、上述したグラウト材の注入による袋体の内圧上昇によって該袋体が膨張したとき、袋体の端部周縁が拡がって環状部材が外側に移動しようとするが、かかる環状部材は、第１の狭着部材が、芯材に直接固着され又は引寄せ機構及び第２の狭着部材を介して間接的に芯材に固着されているため、該第１の狭着部材から反力を受ける形でその移動が制限される。
【００３２】
したがって、袋体の端部周縁は、環状部材と第１の狭着部材との間にさらに強固に狭着されることとなり、かくして袋体の内圧上昇によって該袋体の端部と芯材との固定が外れ、あるいはそれに起因して袋体の端部が損傷し、それらが原因でグラウト材が漏出するおそれがなくなる。
【００３３】
引寄せ機構は、第１の狭着部材及び第２の狭着部材を芯材の材軸に沿って相対的に引き寄せることができるのであれば、その構成は任意であるが、例えば、第１の狭着部材及び第２の狭着部材のいずれか一方から延びる雄ネジと、該雄ネジに螺合され第１の狭着部材及び第２の狭着部材の他方に配置又は形成される雌ネジとで構成することができる。
【００３４】
この場合、雄ネジを、その基端側が第１の狭着部材及び第２の狭着部材の一方に固着された構成とするとともに、該雄ネジが挿通される挿通孔を第１の狭着部材及び第２の狭着部材の他方に形成し、その先端に螺着されるナット部材で雌ネジを構成する、あるいは、雄ネジを、第１の狭着部材及び第２の狭着部材の一方に設けられたボルト挿通孔に挿通されるボルトで構成するとともに、該ボルトが挿通されるボルト挿通孔を第１の狭着部材及び第２の狭着部材の他方に形成し、その先端に螺着されるナット部材で雌ネジを構成するといった構成を採用することができるが、雄ネジを、第１の狭着部材及び第２の狭着部材の一方に形成されたボルト挿通孔に挿通可能なボルトで構成するとともに、該ボルトがねじ込まれる雌ネジ孔を第１の狭着部材及び第２の狭着部材の他方に形成してこれを雌ネジとするようにすれば、部材点数を少なくすることができる。
【００３５】
第１の狭着部材及び第２の狭着部材のうち、いずれを芯材に固着するかは任意であるとともに、芯材に固着する手段も任意であり、例えば第１の狭着部材や第２の狭着部材をスリーブ状としそれらの外周面から材軸直交方向に向けて先端が芯材の周面にねじ込まれるように例えば４本のネジを９０゜ごとにあるいは３本のネジを１２０゜ごとに貫通させる方法を採用することができるが、芯材挿通孔に連通する接着剤充填孔を第１の狭着部材又は第２の狭着部材に設け、該接着剤充填孔を介して第１の狭着部材又は第２の狭着部材に形成された芯材挿通孔の内周面と芯材の周面との隙間にエポキシ樹脂等の接着剤を充填するようにしたならば、第１の狭着部材又は第２の狭着部材を芯材に強固に固着することが可能となる。また、芯材挿通孔の内周面のうち、開口近傍に楔当接面を形成するとともに、該楔当接面に当接される楔部材を備え、該楔部材を芯材挿通孔の開口と芯材との間に打ち込むようにすれば、接着剤の場合と同様、第１の狭着部材又は第２の狭着部材を芯材に強固に固着することが可能となる。
【００３６】
第１の狭着部材、第２の狭着部材及び環状部材は上述したように、第１の狭着部材と環状部材の一端及び該環状部材の他端と第２の狭着部材が袋体の端部周縁を介してそれぞれ互いに当接されるように構成されれば足りるが、環状部材が袋体の端部周縁を介して第１の狭着部材及び第２の狭着部材で挟み込まれた状態において、該第１の狭着部材及び第２の狭着部材の間であって袋体の端部周縁の内側にパテ充填空間が形成されるようにそれらを構成したならば、袋体端部からのグラウト材の漏出をさらに確実に防止することが可能となる。
【００３７】
袋体の端部周縁が折り返された状態で第１の狭着部材の側から環状部材の内側を経て第２の狭着部材の側に延びる配置とする場合において、袋体の端部周縁における折返し部を環状部材の外周面に当接された状態で該環状部材に巻き付けることができるように構成された拘束バンドを備えるようにしたならば、上述したグラウト材の注入による袋体の内圧上昇によって該袋体が膨張したとき、拘束バンドによって袋体の端部周縁と一体になった環状部材が該袋体の端部周縁とともに外側に移動しようとするが、かかる環状部材は、第１の狭着部材が、芯材に直接固着され又は引寄せ機構及び第２の狭着部材を介して間接的に芯材に固着されているため、該第１の狭着部材から反力を受ける形でその移動が制限される。
【００３８】
したがって、袋体の端部周縁は、環状部材と第１の狭着部材との間にさらに強固に狭着されることとなり、かくして袋体の内圧上昇によって該袋体の端部と芯材との固定が外れ、あるいはそれに起因して袋体の端部が損傷し、それらが原因でグラウト材が漏出するおそれがなくなる。
【００３９】
本発明に係る袋体固定具は、袋体にグラウト材を注入するためのグラウト注入パイプを芯材と兼用する場合及び個別に設ける場合のいずれについても適用が可能であるが、後者の場合においては、グラウト注入パイプが挿通されるパイプ挿通孔を芯材挿通孔と平行になるように第１の狭着部材及び第２の狭着部材にそれぞれ設けた構成とすればよい。
【００４０】
本発明に係る袋体固定具を用いた地山補強材において、芯材とグラウト注入パイプとを個別に設ける場合には、芯材を特にＰＣ鋼より線とすることが可能であり、かかる構成によれば、ＰＣ鋼より線の引張強度特性を十分に発揮させた地山補強が可能となる。
【００４１】
ここで、ＰＣ鋼より線のうち、第１の狭着部材から延びる先端露出部分を芯材被覆用キャップで被覆した構成とすれば、ＰＣ鋼より線の隙間からグラウト材が漏出するのを未然に防止することができる。
【図面の簡単な説明】
【００４２】
【図１】本実施形態に係る袋体固定具６を用いた地山補強材１の図であり、(a)は全体図、(b)は配置図。
【図２】袋体固定具６の組立斜視図。
【図３】袋体固定具６の組立断面図。
【図４】本実施形態に係る袋体固定具６の使用手順を示した断面図。
【図５】引き続き本実施形態に係る袋体固定具６の使用手順を示した断面図。
【図６】変形例に係る袋体固定具を示した断面図。
【図７】変形例に係る袋体固定具を示した組立断面図。
【図８】変形例に係る袋体固定具を示した組立断面図。
【図９】変形例に係る袋体固定具を示した断面図。
【図１０】変形例に係る袋体固定具を示した図であり、(a)は断面図、(b)はＡ−Ａ線方向から見た矢視図。
【発明を実施するための形態】
【００４３】
以下、本発明に係る袋体固定具及びそれを用いた地山補強材の実施の形態について、添付図面を参照して説明する。
【００４４】
図１は、本実施形態に係る袋体固定具を用いて組み立てた地山補強材の全体図及び配置図である。本実施形態に係る地山補強材１は同図(a)に示すように、チューブ状に形成された袋体３の両端部を該袋体に挿通配置されたＰＣ鋼より線である芯材２に袋体固定具６，６を介してそれぞれ固定することにより、該袋体の内部に内部空間４が形成されるようになっているとともに、同図(b)に示すように、地山８に形成された補強材挿入孔７に挿入された状態で袋体３の内部空間４にグラウト材を注入することにより、該袋体を膨張させて補強材挿入孔７を押し拡げることができるようになっている。
【００４５】
袋体固定具６は図２及び図３に示すように、第１の狭着部材としての狭着部材１１、該狭着部材よりも袋体３に近い側に配置される第２の狭着部材としての狭着部材１２、それらの間に配置される環状部材１３及び引寄せ機構としての４本のボルト１４で構成してある。
【００４６】
狭着部材１１は、全体をほぼ円筒状に形成してあり、芯材２が挿通される芯材挿通孔２７を材軸に沿って断面中央に形成してあるとともに、ボルト１４が挿通されるボルト挿通孔２６を芯材挿通孔２７を取り囲むように計４本形成してある。
【００４７】
狭着部材１２は、全体をほぼ円筒状に形成してあり、芯材２が挿通される芯材挿通孔２０を材軸に沿って断面中央に形成してあるとともに、ボルト１４の先端がねじ込まれる雌ネジ孔２１を芯材挿通孔２０を取り囲むように計４本形成してある。
【００４８】
環状部材１３は、狭着部材１１及び狭着部材１２の間に配置された状態で芯材２が挿通されるようになっており、その一端周縁には、狭着部材１１に形成されたテーパ状の当接面２２に袋体３の端部周縁を介して当接されるテーパ状の当接面２３を形成してあるとともに、他端周縁には、狭着部材１２に形成されたテーパ状の当接面２４に袋体３の端部周縁を介して当接されるテーパ状の当接面２５を形成してある。
【００４９】
ボルト１４は、狭着部材１１及び狭着部材１２がそれらのテーパ面２２，２４を環状部材１３を挟んだ形で互いに対向させた状態において、狭着部材１１のボルト挿通孔２６に挿通された上、その先端が狭着部材１２の雌ネジ孔２１にねじ込まれることで、狭着部材１１，１２を芯材２の材軸に沿って互いに引き寄せることができるようになっている。
【００５０】
ここで、狭着部材１２には、芯材挿通孔２０に連通する接着剤充填孔２９を設けてあり、該接着剤充填孔を介して芯材挿通孔２０の内周面と芯材２の周面との隙間にエポキシ樹脂等の接着剤を充填することにより、該狭着部材を芯材２に固着することができるようになっている。
【００５１】
次に、袋体３の端部のうち、芯材２の先端に近い側の端部（図１(a)で言えば左側端部、以下、単に左側端部）を袋体固定具６を用いて芯材２に固定する手順を以下に説明する。なお、芯材２の先端から遠い側、図１(a)で言えば右側端部についても袋体固定具６を用いて芯材２に同様に固定する場合には、配置構造が対称である点を除き、左側端部の場合と同様であるので、ここでは袋体３の左側端部についてのみ説明するが、それらの構成部材、すなわち狭着部材１１、狭着部材１２及び環状部材１３については、予め芯材２に挿通しておく。
【００５２】
袋体３の左側端部を袋体固定具６を用いて芯材２に固定するには、まず図４に示すように、狭着部材１２の芯材挿通孔２０に芯材２を挿通し、次いで、接着剤充填孔２９を介して芯材挿通孔２０の内周面と芯材２の周面との隙間にエポキシ樹脂等の接着剤を充填することにより、狭着部材１２を芯材２に固着する。
【００５３】
次に、環状部材１３を芯材２に挿通するとともに、袋体３の端部周縁６１が狭着部材１２から環状部材１３の内側を経て後述する狭着部材１１へと延びるように、該端部周縁を環状部材１３の内側に挿通する。
【００５４】
次に、図５に示すように狭着部材１１の芯材挿通孔２７に芯材２を挿通し、次いで、ボルト１４を狭着部材１１のボルト挿通孔２６に挿通した上、環状部材１３の内部空間を経て、該ボルトの先端を狭着部材１２の雌ネジ孔２１に到達させ、これを該雌ネジ孔にねじ込む。
【００５５】
このようにすると、狭着部材１２が芯材２に固着されているため、狭着部材１１は、同図矢印で示すように狭着部材１２を反力体として該狭着部材の側に引き寄せられ、狭着部材１１に形成されたテーパ状の当接面２２と環状部材１３の一端周縁に形成されたテーパ状の当接面２３、及び狭着部材１２に形成されたテーパ状の当接面２４と環状部材１３の他端周縁に形成されたテーパ状の当接面２５は、袋体３の端部周縁６１を介してそれぞれ互いに当接する。
【００５６】
このようにして組み立てられた地山補強材１は、図１で説明した地山８に形成された補強材挿入孔７に挿入された後、袋体３の周面が補強材挿入孔７に当接されるように該袋体の内部空間４にグラウト材が注入されるとともに、そのときのグラウト材の内圧によって袋体３が膨張するが、袋体固定具６及びそれを用いた地山補強材１においては、袋体３の端部周縁６１は、狭着部材１２の側から環状部材１３の内部空間を経て狭着部材１１の側へと延びているとともに、狭着部材１２及び狭着部材１１は、ボルト１４を介して互いに引き寄せてある。
【００５７】
そのため、袋体３の端部周縁６１は、狭着部材１１と環状部材１３の一端との間、及び環状部材１３の他端と狭着部材１２との間にそれぞれ狭着される。
【００５８】
また、上述したグラウト材の注入による袋体３の内圧上昇によって該袋体がさらに膨張したとき、袋体３の端部周縁６１が拡がって環状部材１３が、図５で言えば左方向に移動しようとするが、狭着部材１１がボルト１４及び狭着部材１２を介して芯材２に固着されているので、環状部材１３は、狭着部材１１から反力を受ける形で、その移動が制限される。
【００５９】
一方、環状部材１３は、狭着部材１１，１２に常に押し付けられた状態となるため、袋体３の内圧がゼロ又は小さい場合であっても、袋体３の端部と芯材２との固定が緩むおそれはない。
【００６０】
以上説明したように、本実施形態に係る袋体固定具６及びそれを用いた地山補強材１によれば、袋体３の端部周縁６１が、狭着部材１１と環状部材１３の一端との間、及び環状部材１３の他端と狭着部材１２との間にそれぞれ狭着されるため、袋体３の端部は、狭着部材１１、狭着部材１２及び環状部材１３を介して芯材２にしっかりと固定されることとなり、注入されたグラウト材が袋体３の外に漏出するおそれがなくなる。
【００６１】
また、グラウト材の注入による袋体３の内圧上昇によって該袋体がさらに膨張したとき、袋体３の端部周縁６１が拡がろうとすることに起因する環状部材１３の外側への移動（図５で言えば左方向への移動）が狭着部材１１によって制限されるため、袋体３の端部周縁６１は、環状部材１３と狭着部材１１との間にさらに強固に狭着されることとなり、かくして袋体３の内圧上昇によって該袋体の端部と芯材２との固定が外れ、あるいはそれに起因して袋体３の端部が損傷し、それらが原因でグラウト材が漏出するおそれがなくなる。
【００６２】
加えて、環状部材１３が狭着部材１１，１２に常に押し付けられた状態となるため、袋体３の内圧がゼロ又は小さい場合であっても、袋体３の端部と芯材２との固定が緩むおそれがなくなり、かくしてグラウト注入開始直後におけるグラウト材の漏出を未然に防止することも可能となる。
【００６３】
また、本実施形態に係る袋体固定具６及びそれを用いた地山補強材１によれば、接着剤充填孔２９を狭着部材１２に設け、該接着剤充填孔を介して狭着部材１２に形成された芯材挿通孔２０の内周面と芯材２の周面との隙間にエポキシ樹脂等の接着剤を充填するようにしたので、狭着部材１２をＰＣ鋼より線で構成された芯材２に強固に固着することができるとともに、その結果として、芯材２の引張強度特性を十分に発揮させた地山補強が可能となる。
【００６４】
本実施形態では特に言及しなかったが、図６に示したように、環状部材１３が袋体３の端部周縁６１を介して狭着部材１１，１２で挟み込まれた状態において、狭着部材１１，１２の間であって袋体３の端部周縁６１の内側に形成されたパテ充填空間にパテ７１を充填するようにしてもよい。
【００６５】
かかる構成においては、袋体３の内部空間４に注入されたグラウト材が漏出するのをさらに確実に防止することが可能となる。
【００６６】
なお、パテ７１を充填するかどうかは任意であるとともに、パテ７１を充填するための空間が狭着部材１１，１２の間に形成されるように狭着部材１１，１２及び環状部材１３を構成するかどうかも任意であって、例えばパテ充填空間が実質的に生じないような構成、例えば狭着部材１１，１２の対向端部が環状部材１３の内側にそれぞれ延びる構成とすることが可能である。
【００６７】
また、本実施形態では、狭着部材１２が袋体３に近い側となり、狭着部材１１が袋体３から遠い側となるように芯材２に挿通配置したが、これらを逆に配置してもかまわない。なお、かかる変形例においては、狭着部材１１と同一構成のものが第２の狭着部材、狭着部材１２と同一構成のものが第１の狭着部材となる。
【００６８】
また、本実施形態では、袋体３の端部周縁６１が、袋体３に近い側に配置された狭着部材１２の側から環状部材１３の内部空間を経て、袋体３から遠い側に配置された狭着部材１１の側へと延びるように、該端部周縁を環状部材１３に挿通するようにしたが、これに代えて図７に示すように、狭着部材１１と同じ構成の狭着部材１１ａを第２の狭着部材として袋体３に近い側に、狭着部材１２と同じ構成の狭着部材１２ａを第１の狭着部材として袋体３から遠い側にそれぞれ芯材２に挿通し、袋体３の端部周縁６１が折り返された状態で狭着部材１２ａの側から環状部材１３の内部空間を経て狭着部材１１ａの側へと延びるように、該端部周縁を環状部材１３に挿通するようにしてもよい。
【００６９】
かかる構成においても、袋体３の端部周縁６１が、狭着部材１１ａと環状部材１３の一端との間、及び環状部材１３の他端と狭着部材１２ａとの間にそれぞれ狭着されるとともに、それによってグラウト材の漏出が防止される点や、環状部材１３が狭着部材１１ａ，１２ａに常に押し付けられることによって、グラウト注入開始直後におけるグラウト材の漏出が防止される点は上述した実施形態と同様である。
【００７０】
加えて、かかる変形例によれば、グラウト材を注入したときの袋体３の膨張面を、芯材２の先端により近い場所まで延ばし、それによって地山８に形成された補強材挿入孔７に当接する袋体３の面積を増加させることが可能となり、かくして地山補強材１による補強作用を高めることができる。
【００７１】
ここで、図８に示すように、袋体３の端部周縁６１における折返し部７２を環状部材１３の外周面に当接し、かかる状態で該折返し部を拘束バンド７３で環状部材１３に巻き付けるようにしたならば、上述したグラウト材の注入による袋体３の内圧上昇によって該袋体が膨張したとき、拘束バンド７３によって袋体３の端部周縁６１と一体になった環状部材１３が該袋体の端部周縁とともに図８で言えば左方向に外側に移動しようとするが、狭着部材１２ａが芯材２に固着されているので、環状部材１３は、狭着部材１２ａから反力を受ける形で、その移動が制限される。
【００７２】
したがって、袋体３の端部周縁６１は、環状部材１３と狭着部材１２ａとの間にさらに強固に狭着されることとなり、かくして上述の実施形態と同様、袋体３の内圧上昇によって該袋体の端部と芯材２との固定が外れ、あるいはそれに起因して袋体３の端部が損傷し、それらが原因でグラウト材が漏出するおそれがなくなる。
【００７３】
また、本実施形態では、袋体３に形成された内部空間４へのグラウト材注入について詳細に説明しなかったが、図９の右側に位置する固定構造に示すように、狭着部材１１に代えて、グラウト注入パイプ８４が挿通されるパイプ挿通孔８５が芯材挿通孔２７と平行になるように形成された狭着部材１１ｂを第１の狭着部材として用いるとともに、狭着部材１２に代えて、グラウト注入パイプ８４が挿通されるパイプ挿通孔８６が芯材挿通孔２０と平行になるように形成された狭着部材１２ｂを第２の狭着部材として用いることにより、グラウト注入パイプ８４を介して袋体３の内部空間４にグラウト材を注入することができる。
【００７４】
また、本実施形態では特に言及しなかったが、図９の左側に位置する固定構造に示すように、芯材２の先端露出部分に被覆される芯材被覆用キャップ８２を備えるようにしてもよい。
【００７５】
同図左側に示した変形例においては、狭着部材１１に中空の雄ネジ８１を突設してなる狭着部材１１ｃを狭着部材１１に代えて採用してあるとともに、芯材被覆用キャップ８２は有底円筒状をなし、その内面に雌ネジ８３を形成してあり、該雌ネジを雄ネジ８１に螺合することにより、狭着部材１１ｃから延びる芯材２の先端露出部分を水密に覆うことができるようになっている。
【００７６】
芯材２は、複数本のＰＣ鋼線を撚り合わせてなるものであって、かかるＰＣ鋼線同士には隙間が形成されており、グラウト材の粘性その他の状況によっては、ＰＣ鋼線同士の隙間からグラウト材がわずかに漏出する懸念があるが、上述の変形例によれば、かかる場合であっても、グラウト材の漏出を完全に防止することが可能となる。
【００７７】
また、本実施形態及び上述の変形例では、第１の狭着部材あるいは第２の狭着部材をエポキシ樹脂等の接着剤で芯材に固着するようにしたが、第１の狭着部材や第２の狭着部材は、接着剤以外の固着手段で芯材に固着することが可能であり、例えば図１０に示す構成を採用することができる。
【００７８】
同図に示した袋体固定具は、第１の狭着部材としての狭着部材９２、該狭着部材よりも袋体３に近い側に配置される第２の狭着部材としての狭着部材１１ａ、それらの間に配置される環状部材１３及び引寄せ機構としての４本のボルト１４を備え、狭着部材９２は、狭着部材１２と同様、全体をほぼ円筒状に形成してあるとともに、芯材２が挿通される芯材挿通孔２０を材軸に沿って断面中央に形成し、ボルト１４の先端がねじ込まれる雌ネジ孔２１を芯材挿通孔２０を取り囲むように計４本形成してあるが、芯材挿通孔２０の内周面のうち、雌ネジ孔２１が形成された側と反対側の端部においては、開口に近くなるについれて内径が大きくなるようにテーパ状の楔当接面９５を形成してあるとともに、該楔当接面に当接される楔部材９４を別途備えた構成としてある。
【００７９】
楔部材９４は、芯材２の周囲に配置された状態では全体が円錐形をなす３つの楔片９３で構成してあり、プレストレスト鋼材を定着する際に広く使用されているジャッキ（図示せず）を用いて、芯材挿通孔２０の楔当接面９５と芯材２の周面との隙間に打ち込むことにより、接着剤と同様、狭着部材９２を芯材２に強固に固着することができる。
【００８０】
なお、図１０に示す変形例は図７の変形例と同様、袋体３の端部周縁６１が折り返された状態で狭着部材９２の側から環状部材１３の内部空間を経て狭着部材１１ａの側へと延びるように、該端部周縁を環状部材１３に挿通してある。
【００８１】
そのため、グラウト材を注入したときの袋体３の膨張面は、芯材２の先端により近い場所まで拡がって、地山８に形成された補強材挿入孔７に当接する袋体３の面積が増加することとなり、かくして地山補強材１による補強作用を高めることが可能となる。
【００８２】
かかる変形例において、図８で説明した変形例と同様に、袋体３の端部周縁６１における折返し部を環状部材１３の外周面に当接し、かかる状態で該折返し部を拘束バンド７３で環状部材１３に巻き付けるようにしたならば、上述の実施形態と同様、袋体３の内圧上昇によって該袋体の端部と芯材２との固定が外れ、あるいはそれに起因して袋体３の端部が損傷し、それらが原因でグラウト材が漏出するおそれがなくなる。
【符号の説明】
【００８３】
１              地山補強材
２              芯材
３              袋体
４              内部空間
６              袋体固定具
１１              狭着部材（第１の狭着部材）
１２              狭着部材（第２の狭着部材）
１１ａ            狭着部材（第２の狭着部材）
１２ａ            狭着部材（第１の狭着部材）
１３              環状部材
１４              ボルト（引寄せ機構）
２０，２７        芯材挿通孔
２１              雌ネジ孔（引寄せ機構）
２６              ボルト挿通孔
２９              接着剤充填孔
６１              袋体３の端部周縁
７３              拘束バンド
８２              芯材被覆用キャップ
８４              グラウト注入パイプ
８５，８６        パイプ挿通孔
９２              狭着部材（第１の狭着部材）
【図１】
0005902454.tif 000002
【図２】
0005902454.tif 000003
【図３】
0005902454.tif 000004
【図４】
0005902454.tif 000005
【図５】
0005902454.tif 000006
【図６】
0005902454.tif 000007
【図７】
0005902454.tif 000008
【図８】
0005902454.tif 000009
【図９】
0005902454.tif 000010
【図１０】
0005902454.tif 000011